(57)【要約】      （修正有）【課題】簡易に且つ汎用性があって低コストで、屋根の必要なところに太陽電池パネルや、屋根緑化部材等を固定設置できる折板屋根へのベースレール取付構造を提供する。【解決手段】形鋼が、折板屋根１の所定の山部間に掛架されねじ止め固定されており、前記形鋼とは別の形鋼が、前記折板屋根の所定の山部間と同一の山部間に掛架されねじ止め固定されており、これら２つの形鋼の間に、水平面４ｓ，４ｓ’と、折板屋根の山部傾斜面１ｋ，１ｋ’に当接可能な当接面４ｔ，４ｔ’とを有するベースレール４，４’が、該当接面が折板屋根山部傾斜面に当接するように配置されており、短尺形鋼５ａ，５ａ’，５ｂ，５ｂ’２つが、それぞれ前記ベースレールの両端部の水平面上にねじ止め固定されており、前記各短尺形鋼と前記各形鋼とがスタッドボルト６ａ，６ａ’、６ｂ，６ｂ’でねじ止め固定されている、以上の構成からなる基本構成部が、同一の折板屋根上に平行に２つ設けられている。【選択図】図２
0003164644.tif 000002
【実用新案登録請求の範囲】
【請求項１】
水平面と垂直面を有し、折板屋根の山部間ピッチより長い形鋼であって、水平面および垂直面それぞれに、該形鋼の長手方向に長い長穴を１つ以上有する形鋼が、折板屋根固定用ボルト列の位置において、折板屋根の所定の山部間に掛架され、該折板屋根固定用ボルト列における少なくとも２つの折板屋根固定用ボルト穴と前記形鋼の水平面の長穴とにボルトが挿入されて該形鋼が折板屋根にねじ止め固定されており、
前記形鋼とは別の形鋼が、前記折板屋根固定用ボルト列とは別の折板屋根固定用ボルト列の位置において、前記折板屋根の所定の山部間と同一の山部間に掛架され、該折板屋根固定用ボルト列における少なくとも２つの折板屋根固定用ボルト穴と、前記形鋼の水平面の長穴とに、ボルトが挿入されて該形鋼が折板屋根にねじ止め固定されており、
これら２つの形鋼の間に、水平面と、折板屋根の山部傾斜面に当接可能な当接面とを有し、水平面の両端部および水平面の所定位置にボルト穴を有するベースレールが、該当接面が折板屋根山部傾斜面に当接するように配置されており、
水平面と垂直面を有し、折板屋根の山部間ピッチより短い短尺形鋼であって、水平面および垂直面にそれぞれにボルト穴を有する短尺形鋼２つが、それぞれ前記ベースレールの両端部の水平面上に、該各短尺形鋼の垂直面が前記各形鋼の垂直面と平行となる向きで配置され、前記ベースレールの水平面のボルト穴と各短尺形鋼の水平面のボルト穴とにボルトが挿入されて、該各短尺形鋼が前記ベースレールの両端部の水平面上にねじ止め固定されており、
前記各短尺形鋼の垂直面のボルト穴と前記各形鋼の垂直面の長穴とにそれぞれスタッドボルトが挿入されて、前記各短尺形鋼と前記各形鋼とがねじ止め固定されている、
以上の構成からなる基本構成部が、同一の折板屋根上に平行に２つ設けられており、該２つの基本構成部における２つのベースレールが、折板屋根の山部間ピッチ以上離れて平行に、且つ、一方のベースレールの当接面が、該ベースレール近傍の左右いずれかの山部傾斜面に当接する向きに取付られ、他方のベースレールの当接面が、先のベースレールが当接する山部傾斜面とは左右逆となる該ベースレール近傍の山部傾斜面に当接する向きに折板屋根に取付られていることを特徴とする、折板屋根へのベースレール取付構造。
【請求項２】
前記一方のベースレールの断面が略フの字状であり、前記他方のベースレールの断面が左右逆略フの字であること、または、前記一方のベースレールの断面が左右逆略フの字であり、前記他方のベースレールの断面が略フの字状であることであることを特徴とする、請求項１記載の折板屋根へのベースレール取付構造。
【請求項３】
前記形鋼および／または前記短尺形鋼の断面が、略Ｌ字状、上下反転略Ｔ字状または９０度回転略Ｈ字状であることを特徴とする、請求項１または請求項２記載の折板屋根へのベースレール取付構造。
【請求項４】
前記形鋼の水平面の長穴が２つであり、垂直面の長穴が１つであることを特徴とする、請求項１〜請求項３記載のいずれか１項記載の折板屋根へのベースレール取付構造。
【請求項５】
複数のボルト穴を有する複数のレール部材が、ベースレールと直交する方向で２つのベースレール間に掛架され、各レール部材のボルト穴と前記ベースレールの水平面のボルト穴とにボルトが挿入されて、各レール部材が各ベースレールにねじ止め固定されていることを特徴とする、請求項１〜請求項４のいずれか１項記載の折板屋根へのベースレール取付構造。
【請求項６】
前記レール部材がハット形鋼であり、前記レール部材のボルト穴は、該ハット形鋼の長手方向に長い長穴であってハット形鋼の一対のアーム部に設けられていることを特徴とする、請求項５記載の折板屋根へのベースレール取付構造。
【請求項７】
同一の折板屋根に、請求項６記載の折板屋根へのベースレール取付構造が複数、折板屋根の凹凸方向に並べて設置されたベースレール取付構造であって、
前記ハット形鋼の長手方向端部において一対のフランジ部および一対のアーム部が切り欠きされており、切り欠き部分のウェブ部にはボルト穴が設けられており、
各ウェブ部のボルト穴と、両端部にボルト穴設けられた接続板のボルト穴とにボルトが挿入されてねじ止め固定され、隣り合うベースレール取付構造における切り欠き部分のウェブ部同士が、接続板を介して接続されていることを特徴とする、折板屋根へのベースレール取付構造。
【請求項８】
複数のボルト穴を有するパネル部材が、２つのベースレール間に掛架され、パネル部材のボルト穴と前記ベースレールの水平面のボルト穴とにボルトが挿入されて、パネル部材が各ベースレールにねじ止め固定されていることを特徴とする、請求項１〜請求項４のいずれか１項記載の折板屋根へのベースレール取付構造。
【請求項９】
前記レール部材が、Ｚ形鋼であり、前記レール部材のボルト穴は、該Ｚ形鋼の長手方向に長い長穴であって該Ｚ形鋼のアーム部に設けられており、該Ｚ形鋼のウェブ部にはボルト穴が設けられており、
各レール部材について、前記折板屋根の山部の上、前記ベースレールの上、もしくは折板屋根の所定の山部と前記ベースレールの上に、短尺ハット形鋼もしくは短尺Ｃ形鋼である支持部材が、その短尺方向が折板屋根の凹凸方向となるように、少なくとも２つ離れて配置されており、各支持部材のウェブ部にはボルト穴が設けられており、
各支持部材のウェブ部上に、前記Ｚ形鋼のウェブ部の一部が架けられており、前記Ｚ形鋼のウェブ部のボルト穴と各支持部材のウェブ部のボルト穴とにボルトが挿入されて、前記Ｚ形鋼が各支持部材にねじ止め固定されていることを特徴とする、請求項５記載の折板屋根へのベースレール取付構造。
【考案の詳細な説明】
【技術分野】
【０００１】
本考案は、太陽電池パネルや屋根緑化部材を折板屋根に適宜固定設置するための、ベースレールの折板屋根への取付構造に関するものである。
【背景技術】
【０００２】
従来より、折板屋根上に、太陽電池パネルや、緑化部材を固定設置する場合には、折板屋根の構造によって違った手法を用いて取付られている。ハゼ式折板屋根の場合には、折板屋根の山部から突出したハゼ部に取付金具が挟持固定され、そしてその取付金具に、太陽電池パネルや、屋根緑化部材等がボルト等で固定設置されている（特許文献１）。ハゼ部のような突出部材が無い折板屋根の場合には、折板屋根自体に穴があけられ、その穴にボルトを挿通して太陽電池パネルや、緑化部材等が固定設置されている。しかし、このように、折板屋根自体に穴をあけて形鋼等を固定設置することは、労力がかかる上に、折板屋根の強度への悪影響や雨漏りの原因になるという問題がある。
【０００３】
また、折板屋根の山部から突出したハゼ部のような突出部材が無い折板屋根に、太陽電池パネルを固定設置する構造として、特許文献２の太陽光発電装置が知られている。この太陽光発電装置は、折板屋根自体を建物のフレーム部材に固定するためのボルトを利用して、基礎固定台が折板屋根にねじ止め固定されている。しかし、既設建物では、既に折板屋根自体を建物の構造体に固定するためのボルト位置が決まっているため、建物毎にそのボルト位置に合わせるように基礎固定台のボルト穴位置や、基礎固定台と直交して固定される下台の寸法などを、その都度設計して基礎固定台や下台を取り付ける必要がある。ゆえに特許文献２における太陽電池パネルを固定設置する構造では、汎用性が無く手間とコストがかかるという問題がある。
【先行技術文献】
【特許文献】
【０００４】
【特許文献１】特開２００９−１７９９５５号公報
【特許文献２】特開２００１−２９５４３８号公報
【考案の概要】
【考案が解決しようとする課題】
【０００５】
そこで、本考案は、これらの問題点を解消するとともに、ベースレールの横ずれを防止して固定強度があり、簡易に汎用性よく低コストで、折板屋根の必要なところに太陽電池パネルや屋根緑化部材等を適宜固定設置できる、折板屋根へのベースレール取付構造を提供することを目的とする。
【課題を解決するための手段】
【０００６】
以下の折板屋根へのベースレール取付構造により、上記目的を達成することができる。
【０００７】
本考案の折板屋根へのベースレール取付構造は、「水平面と垂直面を有し、折板屋根の山部間ピッチより長い形鋼であって、水平面および垂直面それぞれに、該形鋼の長手方向に長い長穴を１つ以上有する形鋼が、折板屋根固定用ボルト列の位置において、折板屋根の所定の山部間に掛架され、該折板屋根固定用ボルト列における少なくとも２つの折板屋根固定用ボルト穴と前記形鋼の水平面の長穴とにボルトが挿入されて該形鋼が折板屋根にねじ止め固定されており、
前記形鋼とは別の形鋼が、前記折板屋根固定用ボルト列とは別の折板屋根固定用ボルト列の位置において、前記折板屋根の所定の山部間と同一の山部間に掛架され、該折板屋根固定用ボルト列における少なくとも２つの折板屋根固定用ボルト穴と、前記形鋼の水平面の長穴とに、ボルトが挿入されて該形鋼が折板屋根にねじ止め固定されており、
これら２つの形鋼の間に、水平面と、折板屋根の山部傾斜面に当接可能な当接面とを有し、水平面の両端部および水平面の所定位置にボルト穴を有するベースレールが、該当接面が折板屋根山部傾斜面に当接するように配置されており、
水平面と垂直面を有し、折板屋根の山部間ピッチより短い短尺形鋼であって、水平面および垂直面にそれぞれにボルト穴を有する短尺形鋼２つが、それぞれ前記ベースレールの両端部の水平面上に、該各短尺形鋼の垂直面が前記各形鋼の垂直面と平行となる向きで配置され、前記ベースレールの水平面のボルト穴と各短尺形鋼の水平面のボルト穴とにボルトが挿入されて、該各短尺形鋼が前記ベースレールの両端部の水平面上にねじ止め固定されており、
前記各短尺形鋼の垂直面のボルト穴と前記各形鋼の垂直面の長穴とにそれぞれスタッドボルトが挿入されて、前記各短尺形鋼と前記各形鋼とがねじ止め固定されている、
以上の構成からなる基本構成部が、同一の折板屋根上に平行に２つ設けられており、該２つの基本構成部における２つのベースレールが、折板屋根の山部間ピッチ以上離れて平行に、且つ、一方のベースレールの当接面が、該ベースレール近傍の左右いずれかの山部傾斜面に当接する向きに取付られ、他方のベースレールの当接面が、先のベースレールが当接する山部傾斜面とは左右逆となる該ベースレール近傍の山部傾斜面に当接する向きに折板屋根に取付られていること」を最も主要な特徴とする。
【０００８】
前記折板屋根固定用ボルトとは、折板屋根自体を建物の躯体やフレーム部材に固定するためのボルトのことである。なお、本考案の折板屋根へのベースレール取付構造において、少なくとも２つの折板屋根固定用ボルト穴と、前記形鋼の水平面の長穴とに、ボルトが挿入されて該形鋼が折板屋根にねじ止め固定されていることは、前記形鋼が、折板屋根自体を固定する建物の躯体やフレーム部材も含めて、折板屋根にボルトでねじ止め固定されているという意味を含むものである。前記折板屋根の山部間ピッチとは、折板屋根の断面における山部の中心線とその山部と隣の山部の中心線との間の距離である。前記形鋼、前記短尺形鋼としては、少なくとも水平面と垂直面を有する各種形鋼が例示される。前記ベースレールは、水平面と、折板屋根の山部傾斜面に当接可能な当接面とを有しており、ベースレールの水平面と当接面（水平面の延長面と当接面の延長面）とがなす角度は、折板屋根の山部傾斜面の傾斜角度に合うように設定される。
【０００９】
さらには、本考案の折板屋根へのベースレール取付構造において、前記一方のベースレールの断面が略フの字状であり、前記他方のベースレールの断面が左右逆略フの字であること、または、前記一方のベースレールの断面が左右逆略フの字であり、前記他方のベースレールの断面が略フの字状であることであることを特徴とする。なお、左右逆略フの字とは、略フの字の左右を反転させた字形のことである。
【００１０】
さらには、本考案の折板屋根へのベースレール取付構造において、前記形鋼および／または前記短尺形鋼の断面が、略Ｌ字状、上下反転略Ｔ字状または９０度回転略Ｈ字状であることを特徴とする。なお、上下反転略Ｔ字状とは、略Ｔ字の上下を反転させた字形のことであり、９０度回転略Ｈ字状とは、略Ｈ字を９０度回転させた字形のことである。
【００１１】
さらには、本考案の折板屋根へのベースレール取付構造において、前記形鋼の水平面の長穴が２つであり、垂直面の長穴が１つであることを特徴とする。
【００１２】
さらには、本考案の折板屋根へのベースレール取付構造において、複数のボルト穴を有する複数のレール部材が、ベースレールと直交する方向で２つのベースレール間に掛架され、各レール部材のボルト穴と前記ベースレールの水平面のボルト穴とにボルトが挿入されて、各レール部材が各ベースレールにねじ止め固定されていることを特徴とする。レール部材としては、各種形鋼が例示される。
さらには、前記レール部材がハット形鋼であり、前記レール部材のボルト穴は該ハット形鋼の長手方向に長い長穴であってハット形鋼の一対のアーム部に設けられていることを特徴とする。
またさらには、同一の折板屋根に、上記折板屋根へのベースレール取付構造が複数、折板屋根の凹凸方向に並べて設置されたベースレール取付構造であって、
前記ハット形鋼の長手方向端部において一対のフランジ部および一対のアーム部が切り欠きされており、切り欠き部分のウェブ部にはボルト穴が設けられており、
各ウェブ部のボルト穴と、両端部にボルト穴設けられた接続板のボルト穴とにボルトが挿入されてねじ止め固定され、隣り合うベースレール取付構造における切り欠き部分のウェブ部同士が、接続板を介して接続されていることを特徴とする。
【００１３】
また、さらには、本考案の折板屋根へのベースレール取付構造において、複数のボルト穴を有するパネル部材が、２つのベースレール間に掛架され、パネル部材のボルト穴と前記ベースレールの水平面のボルト穴とにボルトが挿入されて、パネル部材が各ベースレールにねじ止め固定されていることを特徴とする。パネル部材のボルト穴は、折板屋根の凹凸方向に長い長穴であることが好ましい。
【００１４】
また、さらには、本考案の折板屋根へのベースレール取付構造において、前記レール部材が、Ｚ形鋼であり、前記レール部材のボルト穴が、該Ｚ形鋼のアーム部に設けられた、該Ｚ形鋼の長手方向に長い長穴であり、該Ｚ形鋼のウェブ部にはボルト穴が設けられており、各レール部材について、前記折板屋根の山部の上、前記ベースレールの上、もしくは折板屋根の所定の山部と前記ベースレールの上に、短尺ハット形鋼もしくは短尺Ｃ形鋼である支持部材が、その短尺方向が折板屋根の凹凸方向となるように、少なくとも２つ離れて配置されており、各支持部材のウェブ部にはボルト穴が設けられており、各支持部材のウェブ部上に、前記Ｚ形鋼のウェブ部の一部が架けられており、前記Ｚ形鋼のウェブ部のボルト穴と各支持部材のウェブ部のボルト穴とにボルトが挿入されて、前記Ｚ形鋼が各支持部材にねじ止め固定されていることを特徴とする。なお、短尺ハット形鋼もしくは短尺Ｃ形鋼である支持部材は、該短尺ハット形鋼のアーム部もしくは短尺Ｃ形鋼のリップ部において、前記折板屋根の山部、前記ベースレールにボルトでねじ止め固定されていてもよい。なお、短尺ハット形鋼および短尺Ｃ形鋼の短尺方向の長さは、特に限定されるものではないが、コスト上、折板屋根の山部頂面の幅の半分の長さ以上、折板屋根の山部間ピッチに山部頂面の幅を加えた長さ以下が好ましい。
【考案の効果】
【００１５】
本考案の折板屋根へのベースレール取付構造は、２つベースレール間に、太陽電池パネルや、屋根緑化部材等のレール部材、パネル部材等を掛架して固定設置することができる。２つベースレール間にこれら部材を掛架して固定することにより、ベースレールの横ずれを防止して固定強度をより確保できる。折板屋根自体に穴をあける必要が無いので、労力がかからず、折板屋根の強度への悪影響や雨漏りの心配が無い。形鋼の水平面のボルト穴が長穴であるので、様々な折板屋根の山部間ピッチに対応することができる。形鋼の垂直面のボルト穴が長穴であるので、ベースレールの当接面を折板屋根山部傾斜面までスライドして当接位置を調製することができる。また形鋼と短尺形鋼がスタッドボルトによって接続されているので、様々な折板屋根固定用ボルト列間の距離に対応することができる。したがって、簡易に且つ汎用性があって低コストで、ハゼ部のような突出部材が無い折板屋根の場合でも折板屋根の必要なところに太陽電池パネルや、屋根緑化部材等を固定設置できる。
さらには、本考案の折板屋根へのベースレール取付構造は、ベースレールの断面がフの字状または左右逆フの字状とすると、ベースレールの水平面の下に手を入れることができ、ボルト締め作業が容易となる。
さらには、本考案の折板屋根へのベースレール取付構造は、あらかじめレール部材やパネル部材を２つベースレール間に掛架することにより、ベースレールの横ずれを防止して固定強度をより確保でき、これら部材上に適宜、任意の位置において、太陽電池パネルや、屋根緑化部材等を固定設置することができる。レール部材をハット形鋼とすると、２つベースレール間の剛性をより高めることができる。さらには、ハット形鋼端部の切り欠きによって、ハット形鋼同士の接続作業が容易となる。
さらには、レール部材をＺ形鋼とし、短尺ハット形鋼もしくは短尺Ｃ形鋼である支持部材を使用する構造とすると、レール部材配置位置に折板屋根固定用ボルトがあっても、レール部材を容易に設置することができる。
【図面の簡単な説明】
【００１６】
【図１】図１は、本考案の実施例１の折板屋根へのベースレール取付構造の斜視図である。
【図２】図２は、図１における折板屋根へのベースレール取付構造の平面図である。
【図３】図３は、図２におけるＹ−Ｙ線断面図である。
【図４】図４は、図２におけるＸ−Ｘ線断面図である。
【図５】図５は、本考案の実施例２の折板屋根へのベースレール取付構造の斜視図である。
【図６】図６は、図５における折板屋根へのベースレール取付構造の平面図である。
【図７】図７は、図６におけるＹ−Ｙ線断面図である。
【図８】図８は、図６におけるＸ−Ｘ線断面図である。
【図９】図９は、本考案の実施例３の折板屋根へのベースレール取付構造の斜視図である。
【図１０】図１０は、図９における中央点線円部分の拡大図である。
【図１１】図１１は、本考案の実施例４の折板屋根へのベースレール取付構造の斜視図である。
【図１２】図１２は、本考案の実施例５の折板屋根へのベースレール取付構造の平面図である。
【図１３】図１３は、図１２におけるＹ−Ｙ線断面図である。
【図１４】図１４は、本考案の実施例６の折板屋根へのベースレール取付構造の平面図である。
【図１５】図１５は、図１４におけるＹ−Ｙ線断面図である。
【考案を実施するための形態】
【００１７】
以下、図面を参照しつつ本考案の折板屋根へのベースレール取付構造の６つの態様について詳細に説明する。
【実施例１】
【００１８】
図１は、本考案の実施例１の折板屋根へのベースレール取付構造の斜視図であって、図２は、図１における折板屋根へのベースレール取付構造の平面図である。図３は、図２におけるＹ−Ｙ線断面図であって、図４は、図２におけるＸ−Ｘ線断面図である。本考案の実施例１の折板屋根へのベースレール取付構造について、以下の通り詳細に説明する。
【００１９】
略Ｌ字状の形鋼２ａは、水平面と垂直面を有し、折板屋根１の山部間ピッチより長い形鋼であって、水平面および垂直面それぞれに、形鋼の長手方向に長い長穴を有する。略Ｌ字状の形鋼２ａの水平面における長穴は２つであり、垂直面における長穴は１つである。
【００２０】
略Ｌ字状の形鋼２ａが、折板屋根固定用ボルト列３ａの位置において、折板屋根の所定の山部間に掛架され、折板屋根固定用ボルト列３ａにおける２つの折板屋根固定用ボルト穴と略Ｌ字状の形鋼２ａの水平面の長穴とにボルトが挿入されて略Ｌ字状の形鋼２ａが折板屋根１にねじ止め固定されている。なお、略Ｌ字状の形鋼２ａは、折板屋根１自体を固定する建物のタイトフレーム１０も含めて、折板屋根１にボルトでねじ止め固定されている。
【００２１】
略Ｌ字状の形鋼２ａとは別の略Ｌ字状の形鋼２ｂが、折板屋根固定用ボルト列３ａとは別の折板屋根固定用ボルト列３ｂの位置において、折板屋根１の所定の山部間と同一の山部間に掛架され、折板屋根固定用ボルト列３ｂにおける少なくとも２つの折板屋根固定用ボルト穴と、略Ｌ字状の形鋼２ｂの水平面の長穴とに、ボルトが挿入されて略Ｌ字状の形鋼２ｂが折板屋根１にねじ止め固定されている。
【００２２】
これら２つの略Ｌ字状の形鋼（２ａと２ｂ）の間に、水平面４ｓと、折板屋根１の山部傾斜面１ｋに当接可能な当接面４ｔとを有し、水平面４ｓの両端部および水平面４ｓの所定位置にボルト穴を有するベースレール４が、当接面４ｔが折板屋根山部傾斜面１ｋに当接するように配置されている。
【００２３】
水平面と垂直面を有し、折板屋根１の山部間ピッチより短い短尺形鋼であって、水平面および垂直面にそれぞれにボルト穴を有する短尺形鋼２つ（５ａ，５ｂ）が、それぞれベースレール４の両端部の水平面４ｓ上に、各短尺形鋼（５ａ，５ｂ）の垂直面が各略Ｌ字状の形鋼（２ａ，２ｂ）の垂直面と平行となる向きで配置され、ベースレール４の両端部の水平面４ｓのボルト穴と各短尺形鋼（５ａ，５ｂ）の水平面のボルト穴とにボルトが挿入されて、各短尺形鋼（５ａ，５ｂ）がベースレール４の両端部の水平面４ｓ上にねじ止め固定されている。なお、短尺形鋼（５ａ，５ｂ）の断面は、略Ｌ字状である。
【００２４】
各短尺形鋼（５ａ，５ｂ）の垂直面のボルト穴と各略Ｌ字状の形鋼（２ａ，２ｂ）の垂直面の長穴とにそれぞれスタッドボルト（６ａ，６ｂ）が挿入されて、各短尺形鋼（５ａ，５ｂ）と各略Ｌ字状の形鋼（２ａ，２ｂ）とがねじ止め固定されている。
【００２５】
以上の構成からなる基本構成部が、同一の折板屋根上に平行に２つ（ＰとＰ’）設けられている。そして、該２つの基本構成部における２つのベースレール（４，４’）が、折板屋根１の山部間ピッチの４倍離れて平行に、且つ、一方のベースレール４の当接面４ｔが、ベースレール４近傍の右側山部傾斜面１ｋに当接する向きに取付られ、他方のベースレール４’の当接面４ｔ’が、先のベースレール４が当接する山部傾斜面とは左右逆となる、つまりベースレール４’近傍の左側山部傾斜面１ｋ’に当接する向きに折板屋根１に取付られている。ここでベースレール４の断面が略フの字状であり、ベースレール４’の断面が左右逆略フの字である。なお、基本構成部Ｐ’における各部材の符号は、基本構成部Ｐにおける対応する部材の符号の数字に「’」を付けたものである。
【実施例２】
【００２６】
図５は、本考案の実施例２の折板屋根へのベースレール取付構造の斜視図であって、図６は、図５における折板屋根へのベースレール取付構造の平面図である。図７は、図６におけるＹ−Ｙ線断面図であって、図８は、図５におけるＸ−Ｘ線断面図である。本考案の実施例２の折板屋根へのベースレール取付構造について、以下の通り詳細に説明する。
【００２７】
本考案の実施例２の折板屋根へのベースレール取付構造は、実施例１の折板屋根へのベースレール取付構造において、複数のボルト穴を有する２つのレール部材（７ａ，７ｂ）が、ベースレール（４，４’）と直交する方向で２つのベースレール（４と４’）間に掛架され、各レール部材（７ａ，７ｂ）のボルト穴と前記ベースレール（４，４’）の水平面のボルト穴とにボルトが挿入されて、各レール部材（７ａ，７ｂ）が各ベースレール（４，４’）にねじ止め固定されている。
【００２８】
レール部材（７ａ，７ｂ）は、ハット形鋼である。レール部材（７ａ，７ｂ）のボルト穴は、該ハット形鋼（７ａ，７ｂ）の長手方向に長い長穴であってハット形鋼（７ａ，７ｂ）それぞれの一対のアーム部（７ａ１，７ｃ１）に設けられている。
【実施例３】
【００２９】
図９は、本考案の実施例３の折板屋根へのベースレール取付構造の斜視図であって、図１０は、図９における中央点線円部分の拡大図である。本考案の実施例３である折板屋根へのベースレール取付構造について、以下の通り詳細に説明する。
【００３０】
本考案の実施例３の折板屋根へのベースレール取付構造は、実施例２の折板屋根へのベースレール取付構造が２つ、折板屋根１の凹凸方向に並べて設置されたベースレール取付構造である。
【００３１】
ハット形鋼（７ａ，７ｃ）の長手方向端部において一対のフランジ部（７ａ２，７ｃ２）および一対のアーム部（７ａ１，７ｃ１）が切り欠きされており、切り欠き部分のウェブ部（７ａ３，７ｃ３）にはボルト穴が設けられている。ハット形鋼（７ｂ，７ｄ）も同様に長手方向端部において一対のフランジ部および一対のアーム部が切り欠きされており、切り欠き部分のウェブ部にはボルト穴が設けられている。
【００３２】
ハット形鋼（７ａ，７ｃ）について、各ウェブ部（７ａ３，７ｃ３）のボルト穴と、両端部にボルト穴設けられた接続板８ａのボルト穴とにボルトが挿入されてねじ止め固定され、隣り合うベースレール取付構造における切り欠き部分のウェブ部同士（７ａ３と７ｃ３）が、接続板を介して接続されている。ハット形鋼（７ｂ，７ｄ）ついても同様に、各ウェブ部のボルト穴と、両端部にボルト穴設けられた接続板のボルト穴とにボルトが挿入されてねじ止め固定され、隣り合うベースレール取付構造における切り欠き部分のウェブ部同士が、接続板を介して接続されている。
【実施例４】
【００３３】
図１１は、本考案の実施例４の折板屋根へのベースレール取付構造の斜視図である。本考案の実施例４の折板屋根へのベースレール取付構造について、以下の通り詳細に説明する。
【００３４】
本考案の実施例４の折板屋根へのベースレール取付構造は、実施例１の折板屋根へのベースレール取付構造において、複数のボルト穴を有するパネル部材９が、２つのベースレール（４，４’）間に掛架され、パネル部材９のボルト穴とベースレール（４，４’）の水平面のボルト穴とにボルトが挿入されて、パネル部材９が各ベースレール（４，４’）にねじ止め固定されている。なお、パネル部材９のボルト穴は、折板屋根１の凹凸方向に長い長穴である。
【実施例５】
【００３５】
図１２は、本考案の実施例５の折板屋根へのベースレール取付構造の平面図である。図１３は、図１２におけるＹ−Ｙ線断面図である。本考案の実施例５の折板屋根へのベースレール取付構造について、以下の通り詳細に説明する。
【００３６】
本考案の実施例５の折板屋根へのベースレール取付構造は、実施例１の折板屋根へのベースレール取付構造において、Ｚ形鋼であるレール部材１１が２本、ベースレール（４，４’）と直交する方向で２つのベースレール（４と４’）間に掛架され、各レール部材（Ｚ形鋼）１１のボルト穴と前記ベースレール（４，４’）の水平面のボルト穴とにボルトが挿入されて、各レール部材１１が各ベースレール（４，４’）にねじ止め固定されている。各レール部材１１のボルト穴は、Ｚ形鋼１１の長手方向に長い長穴であってＺ形鋼１１のアーム部に設けられており、Ｚ形鋼１１のウェブ部１１３にはボルト穴が設けられている。なお、折板屋根１には、折板屋根固定用ボルト３ａ、３ｂ間に、折板屋根固定用ボルト（３ｃ、３ｄ）が存在している。
各レール部材１１について、前記折板屋根１の山部１ｙの上に、短尺ハット形鋼である支持部材１２が、その短尺方向が折板屋根１の凹凸方向となるように、４つ離れて配置されており、各支持部材のウェブ部１２３にはボルト穴が設けられており、
各支持部材１２のウェブ部１２３上に、Ｚ形鋼のウェブ部１１３の一部が架けられており、Ｚ形鋼１１のウェブ部１１３のボルト穴と各支持部材１２のウェブ部１２３のボルト穴とにボルト１３が挿入されて、Ｚ形鋼１１が各支持部材１２にねじ止め固定されている。
【００３７】
このように、レール部材１１をＺ形鋼とし、短尺ハット形鋼である支持部材１２を使用する構造とすると、レール部材配置位置に折板屋根固定用ボルト（３ｃ、３ｄ）があっても、短尺ハット形鋼である支持部材１２で折板屋根固定用ボルト（３ｃ、３ｄ）を避けることによって、レール部材１１を容易に設置することができる。
【実施例６】
【００３８】
図１４は、本考案の実施例６の折板屋根へのベースレール取付構造の平面図である。図１５は、図１４におけるＹ−Ｙ線断面図である。本考案の実施例６の折板屋根へのベースレール取付構造について、以下の通り詳細に説明する。
【００３９】
本考案の実施例６の折板屋根へのベースレール取付構造は、実施例１の折板屋根へのベースレール取付構造において、Ｚ形鋼であるレール部材１１が２本、ベースレール（４，４’）と直交する方向で２つのベースレール（４と４’）間に掛架され、各レール部材（Ｚ形鋼）１１のボルト穴と前記ベースレール（４，４’）の水平面のボルト穴とにボルトが挿入されて、各レール部材１１が各ベースレール（４，４’）にねじ止め固定されている。各レール部材１１のボルト穴は、Ｚ形鋼１１の長手方向に長い長穴であってＺ形鋼１１のアーム部に設けられており、Ｚ形鋼１１のウェブ部１１３にはボルト穴が設けられている。なお、折板屋根１には、折板屋根固定用ボルト３ａ、３ｂ間に、折板屋根固定用ボルト（３ｃ、３ｄ）が存在している。
各レール部材１１について、前記折板屋根１の山部１ｙの上に、短尺Ｃ形鋼である支持部材１４が、その短尺方向が折板屋根１の凹凸方向となるように、４つ離れて配置されており、各支持部材のウェブ部１４３にはボルト穴が設けられており、
各支持部材１４のウェブ部１４３上に、Ｚ形鋼のウェブ部１１３の一部が架けられており、Ｚ形鋼１１のウェブ部１１３のボルト穴と各支持部材１４のウェブ部１４３のボルト穴とにボルト１３が挿入されて、Ｚ形鋼１１が各支持部材１４にねじ止め固定されている。
【００４０】
このように、レール部材１１をＺ形鋼とし、短尺Ｃ形鋼である支持部材１４を使用する構造とすると、レール部材配置位置に折板屋根固定用ボルト（３ｃ、３ｄ）があっても、短尺ハット形鋼である支持部材１４で折板屋根固定用ボルト（３ｃ、３ｄ）を避けることによって、レール部材１１を容易に設置することができる。
【産業上の利用可能性】
【００４１】
本考案の折板屋根へのベースレール取付構造は、太陽電池パネルや、屋根緑化部材を折板屋根に適宜固定設置するのに有用である。
【符号の説明】
【００４２】
１      折板屋根
１ｋ    山部傾斜面
１ｋ’  山部傾斜面
１ｙ    山部
２ａ    略Ｌ字状の形鋼
２ｂ    略Ｌ字状の形鋼
２ａ’  略Ｌ字状の形鋼
２ｂ’  略Ｌ字状の形鋼
３ａ    折板屋根固定用ボルト列
３ｂ    折板屋根固定用ボルト列
３ｃ    折板屋根固定用ボルト列
３ｄ    折板屋根固定用ボルト列
４      ベースレール
４ｓ    水平面
４ｔ    当接面
４’    ベースレール
４ｓ’  水平面
４ｔ’  当接面
５ａ    短尺形鋼
５ｂ    短尺形鋼
５ａ’  短尺形鋼
５ｂ’  短尺形鋼
６ａ    スタッドボルト
６ｂ    スタッドボルト
６ａ’  スタッドボルト
６ｂ’  スタッドボルト
７ａ    レール部材（ハット形鋼）
７ｂ    レール部材（ハット形鋼）
７ｃ    レール部材（ハット形鋼）
７ｄ    レール部材（ハット形鋼）
７ａ１  一対のアーム部
７ｃ１  一対のアーム部
７ａ２  一対のフランジ部
７ｃ２  一対のフランジ部
７ａ３  ウェブ部
７ｃ３  ウェブ部
８ａ    接続板
９      パネル部材
１０    タイトフレーム
１１    レール部材（Ｚ形鋼）
１１１  アーム部
１１２  フランジ部
１１３  ウェブ部
１２    支持部材（短尺ハット形鋼）
１２１  一対のアーム部
１２２  一対のフランジ部
１２３  ウェブ部
１３    ボルト
１４    支持部材（短尺Ｃ形鋼）
１４１  一対のリップ部
１４２  一対のフランジ部
１４３  ウェブ部
Ｐ      基本構成部
Ｐ’    基本構成部
【図１】
0003164644.tif 000003
【図２】
0003164644.tif 000004
【図３】
0003164644.tif 000005
【図４】
0003164644.tif 000006
【図５】
0003164644.tif 000007
【図６】
0003164644.tif 000008
【図７】
0003164644.tif 000009
【図８】
0003164644.tif 000010
【図９】
0003164644.tif 000011
【図１０】
0003164644.tif 000012
【図１１】
0003164644.tif 000013
【図１２】
0003164644.tif 000014
【図１３】
0003164644.tif 000015
【図１４】
0003164644.tif 000016
【図１５】
0003164644.tif 000017
【手続補正書】
【提出日】平成22年10月14日(2010.10.14)
【手続補正１】
【補正対象書類名】実用新案登録請求の範囲
【補正対象項目名】全文
【補正方法】変更
【補正の内容】
【実用新案登録請求の範囲】
【請求項１】
水平面と垂直面を有し、折板屋根の山部間ピッチより長い形鋼であって、水平面および垂直面それぞれに、該形鋼の長手方向に長い長穴を１つ以上有する形鋼が、折板屋根固定用ボルト列の位置において、折板屋根の所定の山部間に掛架され、該折板屋根固定用ボルト列における少なくとも２つの折板屋根固定用ボルト穴と前記形鋼の水平面の長穴とにボルトが挿入されて該形鋼が折板屋根にねじ止め固定されており、
前記形鋼とは別の形鋼が、前記折板屋根固定用ボルト列とは別の折板屋根固定用ボルト列の位置において、前記折板屋根の所定の山部間と同一の山部間に掛架され、該折板屋根固定用ボルト列における少なくとも２つの折板屋根固定用ボルト穴と、前記形鋼の水平面の長穴とに、ボルトが挿入されて該形鋼が折板屋根にねじ止め固定されており、
これら２つの形鋼の間に、水平面と、折板屋根の山部傾斜面に当接可能な当接面とを有し、水平面の両端部および水平面の所定位置にボルト穴を有するベースレールが、該当接面が折板屋根山部傾斜面に当接するように配置されており、
水平面と垂直面を有し、折板屋根の山部間ピッチより短い短尺形鋼であって、水平面および垂直面にそれぞれにボルト穴を有する短尺形鋼２つが、それぞれ前記ベースレールの両端部の水平面上に、該各短尺形鋼の垂直面が前記各形鋼の垂直面と平行となる向きで配置され、前記ベースレールの水平面のボルト穴と各短尺形鋼の水平面のボルト穴とにボルトが挿入されて、該各短尺形鋼が前記ベースレールの両端部の水平面上にねじ止め固定されており、
前記各短尺形鋼の垂直面のボルト穴と前記各形鋼の垂直面の長穴とにそれぞれスタッドボルトが挿入されて、前記各短尺形鋼と前記各形鋼とがねじ止め固定されている、
以上の構成からなる基本構成部が、同一の折板屋根上に平行に２つ設けられており、該２つの基本構成部における２つのベースレールが、折板屋根の山部間ピッチ以上離れて平行に、且つ、一方のベースレールの当接面が、該ベースレール近傍の左右いずれかの山部傾斜面に当接する向きに取付られ、他方のベースレールの当接面が、先のベースレールが当接する山部傾斜面とは左右逆となる該ベースレール近傍の山部傾斜面に当接する向きに折板屋根に取付られており、
複数のボルト穴を有する複数のレール部材が、ベースレールと直交する方向で２つのベースレール間に掛架され、各レール部材のボルト穴と前記ベースレールの水平面のボルト穴とにボルトが挿入されて、各レール部材が各ベースレールにねじ止め固定されており、  前記レール部材が、Ｚ形鋼であり、前記レール部材のボルト穴は、該Ｚ形鋼の長手方向に長い長穴であって該Ｚ形鋼のアーム部に設けられており、該Ｚ形鋼のウェブ部にはボルト穴が設けられており、
各レール部材について、前記折板屋根の山部の上、前記ベースレールの上、もしくは折板屋根の所定の山部と前記ベースレールの上に、短尺ハット形鋼もしくは短尺Ｃ形鋼である支持部材が、その短尺方向が折板屋根の凹凸方向となるように、少なくとも２つ離れて配置されており、各支持部材のウェブ部にはボルト穴が設けられており、
各支持部材のウェブ部上に、前記Ｚ形鋼のウェブ部の一部が架けられており、前記Ｚ形鋼のウェブ部のボルト穴と各支持部材のウェブ部のボルト穴とにボルトが挿入されて、前記Ｚ形鋼が各支持部材にねじ止め固定されていることを特徴とする、折板屋根へのベースレール取付構造。
【請求項２】
前記一方のベースレールの断面が略フの字状であり、前記他方のベースレールの断面が左右逆略フの字であること、または、前記一方のベースレールの断面が左右逆略フの字であり、前記他方のベースレールの断面が略フの字状であることであることを特徴とする、請求項１記載の折板屋根へのベースレール取付構造。
【請求項３】
前記形鋼および／または前記短尺形鋼の断面が、略Ｌ字状、上下反転略Ｔ字状または９０度回転略Ｈ字状であることを特徴とする、請求項１または請求項２記載の折板屋根へのベースレール取付構造。
【請求項４】
前記形鋼の水平面の長穴が２つであり、垂直面の長穴が１つであることを特徴とする、請求項１〜請求項３記載のいずれか１項記載の折板屋根へのベースレール取付構造。